(57)【要約】吸引された体液を収集するために用いられる排液容器（１）用の吊り下げ装置であって、前記吊り下げ装置は、第１の側面に、前記排液容器（１）を前記吊り下げ装置に取り付けて固定するための第１の固定ユニット（３１）を有する。第２の側面には、前記吊り下げ装置をレールに取り付けて固定するための第２の固定ユニット（５００，５１）が存在する。前記第１の固定ユニット（３１）は、第１の固定部（３）に配置され、前記第２の固定ユニット（５００，５１）は、第２の固定部（５）に配置される。前記吊り下げ装置は、計量要素（６）を備えた計量部（４）をさらに有し、前記計量部（４）は、前記計量要素（６）を用いて前記第１の固定部（３）と前記第２の固定部（５）との間の相対変位を測定するように、前記第１の固定部（３）及び前記第２の固定部（５）に接続されているか、又は接続可能であり、その結果、前記排液容器（１）内の吸引された体液の充填量を決定できる。本発明の吊り下げ装置により、簡単な手段を用いて、排液容器、特に排液袋を備えた排液容器の充填量を決定できる。【選択図】図７
2017526434.tif 000002
【特許請求の範囲】
【請求項１】
吸引された体液を収集するために用いられる排液容器（１）用の吊り下げ装置であって、前記吊り下げ装置は、第１の側面に、前記排液容器（１）を前記吊り下げ装置に取り付けて固定するための第１の固定ユニット（３１）を有し、前記吊り下げ装置は、第２の側面に、前記吊り下げ装置をレールに取り付けて固定するための第２の固定ユニット（５００，５１）を有し、前記第１の固定ユニット（３１）は、第１の固定部（３）に配置され、前記第２の固定ユニット（５００，５１）は、第２の固定部（５）に配置され、前記吊り下げ装置は、計量要素（６）を備えた計量部（４）を含み、前記計量部（４）は、前記計量要素（６）を用いて前記第１の固定部（３）と前記第２の固定部（５）の間の相対変位を測定するように、前記第１の固定部（３）及び前記第２の固定部（５）に接続されているか、又は接続可能であり、その結果、前記排液容器（１）内の吸引された体液の充填量を決定できることを特徴とする吊り下げ装置。
【請求項２】
前記第１の固定ユニット（３１）は、前記吊り下げ装置の目的とする使用において、前記排液容器（１）との解除可能な接続を作り出すように設計されており、及び／又は、前記第２の固定ユニット（５００，５１）は、前記吊り下げ装置の目的とする使用において、前記レールとの解除可能な接続を作り出すように設計されている、請求項１に記載の吊り下げ装置。
【請求項３】
前記第１の固定部（３）及び前記計量部（４）が、固く相互接続したユニットを形成し、前記吊り下げ装置の目的とする使用において互いから分離されないように形成されている、請求項１又は２に記載の吊り下げ装置。
【請求項４】
前記第２の固定部（５）が、前記吊り下げ装置の目的とする使用において、前記計量部（４）との解除可能な接続を形成する、請求項３に記載の吊り下げ装置。
【請求項５】
前記第２の固定部（５）及び前記計量部（４）が、固く相互接続したユニットを形成し、使用の間、互いから分離されないように設計されており、これにより、前記第１の固定部（３）、前記計量部（４）、及び前記第２の固定部（５）が、使用の間、互いに分離されないように設計されたユニットを形成する、請求項３に記載の吊り下げ装置。
【請求項６】
前記計量要素（６）が、前記第１の固定部（３）に固く接続される第１の領域を有し、前記計量要素（６）が、前記計量部（４）に固く接続される第２の領域を有する、請求項１〜６のいずれかに記載の吊り下げ装置。
【請求項７】
前記第２の固定部（５）が、前記第１の固定部（３）まで延びる突出部（５５）を有し、この突出部（５５）が、重量超過の際に、前記第１の固定部（３）を支えるように働く、請求項１〜６のいずれかに記載の吊り下げ装置。
【請求項８】
前記排液容器（１）に接続され前記体液を吸引するために用いられる排液ホース（２）用の張力緩和手段をさらに有する、請求項１〜７のいずれかに記載の吊り下げ装置。
【請求項９】
前記張力緩和手段は、前記計量部（４）及び／又は前記第２の固定部（５）によって支えられるブラケット（８）を有する、請求項８に記載の吊り下げ装置。
【請求項１０】
前記排液容器（１）の吊り下げのための吊り下げ軸（Ａ）を定め、前記吊り下げ軸（Ａ）と、前記吊り下げ装置が置かれる部屋内の鉛直との間の角度を測定するための傾斜センサを有する、請求項１〜９のいずれかに記載の吊り下げ装置。
【請求項１１】
前記決定された充填量を示すためのディスプレイ（９）をさらに有する、請求項１〜１０のいずれかに記載の吊り下げ装置。
【請求項１２】
前記決定された充填量を外部受信機に伝送するための電子ユニットをさらに有する、請求項１〜１１のいずれかに記載の吊り下げ装置。
【請求項１３】
請求項１〜１２のいずれかに記載の吊り下げ装置の固定機構であって、前記固定機構は、前記排液容器（１）を前記吊り下げ装置に取り付けて固定するための第１の固定ユニット（３１）を備えた第１の固定部（３）を有し、前記固定機構は、計量要素（６）を備えた計量部（４）を有し、前記計量部（４）は、前記第１の固定部（３）に接続され、前記計量部（４）は、前記計量要素（６）を用いて前記第１の固定部（４３）と第２の固定部（５）との間の相対変位を測定するように、レールとの接続のために前記第２の固定部（５）に接続でき、その結果、前記排液容器（１）内の吸引された体液の充填量を決定できることを特徴とする固定機構。
【請求項１４】
請求項１〜１２のいずれかに記載の吊り下げ装置の第２の固定部であって、前記第２の固定部（５）は、前記吊り下げ装置をレールに接続するための第２の固定ユニット（５００，５１）を有し、前記第２の固定部（５）は、前記計量部（４）を支持するための変位可能なバネ荷重式ボルト（５８）によって形成される重量超過防止部を有することを特徴とする第２の固定部。
【請求項１５】
排液容器と、請求項１〜１２のいずれかに記載の吊り下げ装置とを備えた排液システムであって、前記排液容器（１）は、外側容器（１０）と、前記外側容器（１０）に収容される袋（１２）と、前記外側容器（１０）をぴったりと閉鎖する蓋（１１）とを有し、前記袋（１２）は、前記蓋（１１）に密封して接続され、前記外側容器（１０）から前記蓋（１１）とともに取り外すことができ、前記外側容器（１０）が、前記第１の固定部（３）の前記第１の固定ユニット（３１）に接続するための固定ユニット（１３）をさらに有する排液システム。
【発明の詳細な説明】
【技術分野】
【０００１】
本発明は、排液容器用の吊り下げ装置、かかる吊り下げ装置の固定機構、かかる吊り下げ装置の固定部、及びかかる吊り下げ装置を備えた排液システムに関する。
【背景技術】
【０００２】
排液容器（流体収集容器とも呼ばれる）は、医学的処置及び美容的処置の範囲において、吸引時に得られた体液を収集するための容器である。体液は、真空ポンプを用いて、患者側の排液管路又は吸引管路を経て容器へと運ばれる。このため、容器は、患者側の排液管路用の接続部と、吸引もしくは真空ポンプ用の、又は病院の中央真空部用の接続部とを有する。排液容器は使い捨て容器であってもよいし、又は少なくともその一部が何度か使える容器であってもよい。
【０００３】
特許文献１及び特許文献２は、外側容器と、この外側容器をぴったりと閉鎖する蓋と、外側容器に収容され、蓋に密封して接続される袋とを備える排液容器を開示する。蓋と袋は外側容器からいっしょに取り外すことができる。これらの容器はスナップ式接続を用いて吊り下げ装置に接続することができ、吊り下げ装置はレールに固定することができる。レールは、好ましくは、病院もしくは看護病棟の壁レール、又はベッドレールである。この吊り下げ装置は、一方の側に、レールにクランプするためのバネ荷重式クランプが、反対の側に、鉛直に延びるスロットが設けられる本体を有する。外側容器は、対応して鉛直方向に延びるスロット挿入部を有し、これを前記スロットに押し込むことができる。袋のついた蓋は、一度使用した後廃棄することを意図されているが、排液容器は、限られた回数だけではあるが再利用できる。これに対し、吊り下げ装置は、数年間使用され、他の医療機器を固定するためにも用いられる。これらの排液容器とこれらの吊り下げ装置は実際に役立つことが証明されている。
【０００４】
排液容器の充填度合いは、一方で排液の成功を示すために、他方で入れすぎてはいけないので、定期的にチェックされなければならない。先行技術では、このチェックは、看護スタッフが視覚的に行う。こうしたチェックは、充填インジケータ付きの硬質の容器でなく袋に直接流体が収集される場合、不可能ではないものの困難となる。従って、充填量を測定するための装置を備えた、この種の排液容器を提供する必要がある。
【０００５】
充填量の決定については、他の分野で公知である。特許文献３は、中にカップを吊るすことのできる、取っ手の付いたビーカーを記載する。カップの重量とカップの中身の重量を決定するために、取っ手内に計量センサがある。
【０００６】
特許文献４は、取っ手付きのジョッキを開示し、この取っ手はジョッキに固く連結されており、やはり計量センサを有する。
【０００７】
特許文献５は、取っ手が一体的に形成された計量装置付きのリング形ベースプレートを開示する。このベースプレート上にジョッキを置くことができる。
【０００８】
特許文献６及び特許文献７は、取って付きのジョッキと、計量装置付きのベースプレートを開示する。
【０００９】
特許文献８及び特許文献９では、容器の充填量を表示するために、可動の機械的な表示器が使用される。
【先行技術文献】
【特許文献】
【００１０】
【特許文献１】ＷＯ  ２００７／０８５１００
【特許文献２】ＷＯ  ２０１３／１７７７１６
【特許文献３】ＣＮ  ２０２５９９５１２  Ｕ
【特許文献４】ＣＮ  ２０１８９９７４９２  Ｕ
【特許文献５】ＣＮ  ２０２１５８８９８  Ｕ
【特許文献６】ＵＳ  ２０１０／００８９１５２
【特許文献７】ＤＥ  ２０  ２０１０  ０１０  ０８８  Ｕ
【特許文献８】ＵＳ  ３７４  ７５９
【特許文献９】ＵＳ  ２  ４７８  ２７２
【発明の概要】
【発明が解決しようとする課題】
【００１１】
本発明の目的は、排液容器の充填量を決定しやすくすることである。
【課題を解決するための手段】
【００１２】
本目的は、特許請求項１の特徴を備える吊り下げ装置によって達成される。
【００１３】
吸引した体液を収集するために用いられる排液容器のための本発明による吊り下げ装置は、第１の側面に、排液容器、好ましくはその外側容器を前記吊り下げ装置に取り付けて固定するための第１の固定ユニットを有し、第２の側面に、前記吊り下げ装置をレールに取り付けて固定するための第２の固定ユニットを有する。前記第１の固定ユニットは、第１の固定部に配置され、前記第２の固定ユニットは、第２の固定部に配置される。前記吊り下げ装置は、計量要素を備える計量部を有し、前記計量部が、前記計量要素を用いて前記第１の固定部と前記第２の固定部との間の相対変位を測定するように、前記第１の固定部及び前記第２の固定部に接続されているか、又は接続可能であり、その結果、前記排液容器内の吸引された体液の充填量を決定できる。前記第２の側面は、好ましくは、前記第１の側面に隣接して、又は対向させて配置される。
【００１４】
前記測定が前記吊り下げ装置で行われ、前記容器自体で行われないことによって、袋の充填量又は袋の内容物の重量をも正確に決定できる。
【００１５】
さらに、これは、限られた時間だけ用いることのできる容器を、依然として費用効率よく製造でき、電子部品を再利用可能な吊り下げ装置に一体化するという利点を有する。これは、特に、前記第１の固定ユニットが、前記吊り下げ装置の目的とする使用において、排液容器、好ましくはその外側容器との解除可能な接続を作り出すように構成される場合に当たる。
【００１６】
あるいは、又は付加的に、前記第２の固定ユニットも、前記吊り下げ装置の目的とする使用において、レールとの解除可能な接続を作り出すように構成されることが好ましい。
【００１７】
しかしながら、別の実施形態において、前記吊り下げ装置、又は、少なくとも前記第１の固定部及び前記計量部は、排液容器、特に外側容器に固く接続される。
【００１８】
好ましい実施形態において、前記第１の固定部と前記計量部は、固く相互接続されたユニットを形成し、前記吊り下げ装置の目的とする使用において、互いから分離されないように構成される。
【００１９】
本明細書において、目的とする使用とは、患者から体液を吸引するのに用いられる使用であり、これに加え、この目的を達成するために、排液容器が正確に固定されることを必要とする使用であると理解される。前記接続は、吸引前又は吸引後になされ、及び／又は解除される。好ましくは同様に、吸引中の分離も可能である。接続したり接続を解除したりするには、好ましくは、道具を必要とせずに、好ましくは手で行うことができる。
【００２０】
好ましくは、第２の固定部は、前記吊り下げ装置の目的とする使用において、計量部との解除可能な接続を形成する。これは、この固定部を他の装置を固定するために用いることもできるという利点を有する。特に、例えば、特許文献１に記載したような第２の固定部を用いることができる。
【００２１】
別の実施形態では、第２の固定部と計量部が、固く相互接続したユニットを形成し、使用の間に互いから分離されないように構成され、これにより、第１の固定部、計量部、及び第２の固定部が、使用の間に分離されないように構成されるユニットを形成する。これには、前記吊り下げ装置が、計量要素を一体化するにもかかわらずコンパクトに形成され、比較的安価であり、さらに個々の部分を紛失する恐れがない、という利点がある。
【００２２】
計量要素としては、特に、計量セル、変位測定を備えたバネ要素、圧電センサ又はリニアガイドを備えた圧力センサが適している。
【００２３】
好ましい実施形態では、上記計量要素、特に計量セルは、前記第１の固定部に固く接続される第１の領域を有し、前記計量要素は、前記計量部に固く接続される第２の領域を有する。このようにして、前記第２の固定部を比較的自由に構成することができ、特に、使用時に解除可能な接続を用いて、前記計量部に接続することができる。
【００２４】
好ましくは、前記第２の固定部は荷重超過防止部を有する。これは、鉛直方向に変位可能なバネ荷重式ボルトによって形成され、このボルト上に前記計量部が載る。好ましくは、又は代わりに、前記第２の固定部が、前記第１の固定部まで延びる突出部を有し、重量超過の際には、この突出部が第１の固定部を支える。これらの実施形態により、計量要素の荷重超過、特に、計量セルの歪みゲージの過剰伸長を防ぐ荷重超過防止を可能とする。
【００２５】
できるだけ正確に重量決定を行うことができるように、前記吊り下げ装置は、好ましくは、排液容器に接続され体液を吸引するために用いられる排液ホースのための張力緩和手段を有する。この排液ホースは、好ましくは吊り下げられる。好ましくは、上記張力緩和手段は、上記計量部及び／又は第２の固定部によって支持されるブラケットを有し、このブラケットが排液ホースを支持する。
【００２６】
上記吊り下げ装置は、排液容器を吊り下げるための吊り下げ軸を定め、好ましい実施形態では、この吊り下げ軸と、吊り下げ装置が置かれる部屋内の鉛直との間の角度を確認するために、傾斜センサが存在する。これにより、レール、従って排液容器が傾いているか否かを確認することができ、これによって生じる測定誤差を電子的に補償することができる。あるいは、又は加えて、容器が傾いて掛かっていて、ひっくり返る恐れがある場合には警告することもできる。
【００２７】
好ましくは、上記吊り下げ装置は、測定した充填量を示すためのディスプレイを有し、それによって、看護スタッフ、専門医、又は患者でも、その場で直ぐに測定値を読み取ることができる。実施形態によっては、音響的及び／又は視覚的信号発生器を設けて、過剰充填の恐れを警告する。
【００２８】
好ましい実施形態では、上記吊り下げ装置は、規定の充填量及び／又は警報を外部受信機に伝えるための電子ユニットを有する。この外部受信機は、真空ポンプ、中央真空部の制御器、又は中央真空部用のバルブユニットであってよい。好ましくは、外部受信機は病院のネットワークである。好ましくは、測定値を患者のデータに直接入力し、及び／又は、看護職員の待機室で警報を発生させる。
【００２９】
複数の排液容器を互いに前後もしくは横に並べて接続することもでき、この場合、全ての排液容器の測定値を合計して、その場で共通のディスプレイに示す。あるいは、又はこれに加えて、信号を一緒に外部受信機に送ることもできる。
【００３０】
測定値は、さらに処理することができる。よって、流量を決定することができる。例えば、脂肪吸引等、患者の複数の場所で吸引を行う場合、吸引される異なる流体量の間で比較が可能である。
【００３１】
吊り下げ装置の各部分は、個々に製造されてもよいし、販売されてもよい。例えば、本発明の吊り下げ装置の固定機構は、排液容器を吊り下げ装置に取り付けて固定するための第１の固定ユニットを備えた第１の固定部を有し、さらに、計量要素を備えた計量部を有する。前記計量部は前記第１の固定部に接続され、前記計量部は、計量要素を用いて前記第１の固定部と第２の固定部との間の相対変位を測定するように、レールとの接続のために前記第２の固定部に接続でき、その結果、前記排液容器内の吸引された体液の充填量を決定できる。
【００３２】
さらに、本発明の吊り下げ装置の第２の固定部は、個々に製造又は販売することができる。この第２の固定部は、吊り下げ装置をレールに接続するための第２の固定ユニットを有する。第２の固定部は、重量超過防止部を有し、この重量超過防止部は、計量部を支持するためのバネ荷重式ボルトを有する。あるいは、又は付加的に、荷重超過の場合に第１の固定部が載る突出部があってよい。
【００３３】
好ましい実施形態では、本発明の吊り下げ装置は、排液容器とともに排液システムを形成する。排液容器は、外側容器と、外側容器に収容される袋と、外側容器をぴったりと閉鎖する蓋とを有する。袋は、蓋に密封して接続され、外側容器から蓋と一緒に取り外すことができる。外側容器はさらに、第１の固定部の第１の固定ユニットに接続するための固定ユニットを有する。しかしながら、本発明による吊り下げ装置は、別のタイプの排液容器、特に袋のない排液容器とともに使用することもできる。
【００３４】
さらなる実施形態を従属請求項に記載する。
【図面の簡単な説明】
【００３５】
本発明の好ましい実施形態を、図を参照しながら以下に説明するが、これらの図は、単に説明のためのものであって、本発明を限定するためのものと解釈されてはならない。
【００３６】
【図１】図１は、本発明による排液システムの斜視図である。
【図２】図２は、図１による排液システムの側面図である。
【図３】図３は、図１による排液システムの袋を備えた蓋の斜視図である。
【図４】図４は、図１による排液システムの吊り下げ装置の分解図である。
【図５】図５は、組み立てた状態での、図４による吊り下げ装置の斜視図である。
【図６】図６は、張力緩和手段を備えた、図４による吊り下げ装置の斜視図である。
【図７】図７は、ディスプレイを備えた、組み立てた吊り下げ装置の斜視図である。
【発明を実施するための形態】
【００３７】
図１は、硬質の、好ましくは透明の外側容器１０を備える排液容器１、外側容器１０をぴったりと閉じる蓋１１、及び、蓋１１上に密封して固定され、外側容器１０内に収容される袋１２を示す。
【００３８】
容器１は、患者及び真空源に接続するために必要な通常の手段を有する。これらの手段は、例えばＷＯ  ２００７／０８５１００及びＷＯ  ２０１３／１７７７１６から、一般に公知である。蓋１１上には、袋の内部を排液ホース２に接続するための排液接続部１１０があり、排液ホース２が患者につながり、吸引した流体を容器内に運ぶ。さらに、蓋１１は、好ましくは、連続接続部１１２を有し、これにより第２の排液容器に連続して接続できる。参照番号１１３は、固定スタブを指し、装置を使用しないときには、通常、この固定スタブ上に閉鎖片をはめることができる。参照番号１１１は、フィルターカバーを指し、これも同様に袋の内部につながるが、外側容器と袋の間の空間で終わるさらなる路を有し、この路が、外側容器１０の横の吸引接続部に接続する。吸引接続部は真空源との接続に用いられる。吸引接続部はここでは目に見えないが、ＷＯ  ２０１３／１７７７１６から公知である。取っ手１１４により、蓋１１と袋１２を外側容器１０から取り外すことが容易となる。図３に示すように、蓋１１には袋１２が固定されており、好ましくは、蓋に接着接合されるか、又は溶接される。
【００３９】
排液容器１、より具体的には、外側容器１０は、吊り下げ装置３，４，５の側方に吊り下げられ、これに固定される。吊り下げ装置３，４，５は、レールＳ、例えば、壁レール、又はベッドレールに取り付けて固定することができる。吊り下げ装置３，４，５は、さらに、角度のついたブラケット８を担持し、このブラケット８の鉛直な枝状部は、吊り下げ装置３，４，５の残りの部分の上方上向きに突き出し、ブラケット８の水平な枝状部は、排液容器１の方に向いている。本明細書では、鉛直とは、装置を使用しようとする場所に関する。
【００４０】
方向転換ローラー８０と、これの側面に位置する２つのガイドピン８１は、前記水平な枝状部の自由端部に固定される。排液ホースは、方向転換ローラー８０とガイドピン８１との間に、押しつぶされることなく保持される。これによって、ブラケット８は、張力緩和手段を形成し、方向転換ローラー８０から患者へとつながる排液ホース２の重さを支える。
【００４１】
図２から明白なように、外側容器１０は、スロット挿入部を備えた、横方向に突出する固定片１３を有する。このスロット挿入部には、保持つまみ１４０を備えたバネ要素１４が配置され、このバネ要素１４は鉛直に延びるスロット挿入部の下方に向かう延長部を形成する。これは、ＷＯ  ２００７／０８５１００に記載の容器にも対応する。
【００４２】
このスロット挿入部は、本発明による吊り下げ装置の容器側固定部３の第１のスロット３１（図４）に押し込まれ、バネ荷重式の保持つまみ１４０を用いてその位置に固定される。このようにして、容器１は、この第１の容器側固定部３に吊り下げられる。この実施例では、第１のスロット３１は第１の固定ユニットを形成する。
【００４３】
前記吊り下げ装置は、さらに、第２の、レール側固定部５を有する。第２のレール側固定部５は、ほぼ直方体の本体５０を有し、これに上側固定つめ５００が一体的に形成される。つめ５００は、第１の固定部３とは反対側に配置される。本体５０に可動に保持されるつめ５１は、この固定つめ５００の対となる片方を形成する。可動つめ５１は、バネ荷重式の押しボタン５２を用いて作動することができ、この押しボタン５２は、本体５０の上面から突出する。この第２の固定ユニット、つまり前記２つのつめ５００，５１を用いて、第２の固定部５、従って吊り下げ装置の残りの部分、及び排液容器１を、レールＳに固定することができる。
【００４４】
袋１２内の充填量を測定するために、特にその重量を決定するために、前記吊り下げ装置は、第１の固定部３と第２の固定部５の間に、計量部４を有する。ディスプレイ９は、測定した充填量を、ここではミリリットル（ｍｌ）で表示する。他の種類の表示、例えば、重量表示、又は、充填度合いもしくは充填経過のグラフィック表示も可能である。
【００４５】
以下、本発明による吊り下げ装置の個々の部分について、図４及び５を参照しながら、より詳細に説明する。
【００４６】
上記第１の、容器側固定部３は、ほぼ直方体の本体３０を有する。容器１の方に向いている側面には、上述の鉛直に延びる第１のスロット３１が備わっている。第１のスロット３１の底部には貫通孔３４が設けられ、これにより、以下の計量部４の固定ネジへのアクセスが可能となる。本体３０の上面には、少なくとも１つの固定穴、ここでは２つの固定穴３３がある。これら固定穴３３は、前記上面の縁領域に位置し、計量要素６、この場合は計量セルに固く接続するために用いられる。このため、計量セルは、対応する固定穴６０を有する。好ましくは、容器側固定部３は、この計量セル６とネジ留めされる。しかしながら、他の固定方法も可能である。
【００４７】
容器側固定部３は、本体３０の、容器１とは反対側の側面の下側領域に、第１の突出部３２を有し、この突出部３２は、第２の、レール側固定部５の方を向いている。本体３０の、容器とは反対側の前記側面は、突出部３２以外、好ましくは平らであり、使用位置において鉛直方向に延びるように構成される。
【００４８】
計量部４も同様に、ほぼ直方体の本体４０を有し、これは水平方向に延びる第２のスロット４２を備える。計量セル６は、この第２のスロット４２内に保持され、このとき、計量セル６は、第２のスロット４２の少なくとも一方の端部から突出し、この端部で、容器側固定部３に接続される。計量セル６は、他方の端部で、計量部４の本体４０に固く接続される。このため、本体４０は、その上面の、好ましくは縁領域に、固定穴４３を有する。この場合もまた、本体４０と計量セル６との間の固い接続は、好ましくは、ネジ留めによって行われるが、他の固定方法も可能である。
【００４９】
計量セル６としては、公知の手段を用いることができる。これらは、通常、歪みゲージを備える測定手段である。参照番号６１は、計量セル６から電子機器（図示せず）へ、及び、場合によっては電力源へと延びるケーブルを指す。計量部４内に、電子機器の全て又はいくつかを配置することもできる。好ましい実施形態では、データは、ディスプレイだけでなく外部受信機にも伝送される。他の実施形態ではディスプレイがない。さらに、測定した充填値に従って作動可能な音響信号送信機を計量部に備え付けることができる。計量セル６の代わりに、変位測定付きバネ要素、圧電センサ、又はリニアガイドを備えた圧力センサを用いることもできる。
【００５０】
本体４０の、スロット４２とは反対の側には、鉛直方向に延びるスロット挿入部４１がある。これは、好ましくは、本体４０に一体的に形成される。このスロット挿入部４１は、第３のスロット５３と係合することができ、第３のスロット５３は、第２の、レール側固定部５の本体５０内に一体的に形成される。第３のスロット５３の下側は二段になった部分で終わっており、上側段部からバネ荷重式ボルト５８が突出し、バネ力に逆らって鉛直方向に動くことができる。計量部４は、このボルト５８上に載る。バネ力の大きさは、ボルト５８、従って計量部４の載置面が、正常な荷重下で、つまり排液容器の正常な充填では、下方に押されないように選ばれなければならない。
【００５１】
ボルト５８に向かい合って位置する、この上側段部の側方端部では、側壁５６が立ち上がっている。側壁５６は、好ましくは、上記段部とともに一部品に形成される。側壁５６は、通り抜けのねじ山付き穴５７を有する。このねじ山付き穴を通ってねじ込まれるネジ（ここでは示さない）は、計量部４の側面の鉛直なスロットに係合し、よって、レール側固定部５上に計量部４を固定する。このとき、計量部４は、それでもなお、スロットとスロット挿入部との間の接続に沿って鉛直方向に移動することができる。ネジが差し込まれていなければ、計量部４は、道具を用いることなく、手で、レール側固定部５から取り外すこともできる。
【００５２】
前記二段になった部分が別個の構造部分である場合、例えばネジ接続を用いて、レール側固定部５の本体５０に接続することができる。対応するねじ山付き穴５９は、図４から明らかである。この変形は、公知の吊り下げ装置を、レール側固定部５の本体５０として用いることができる点が有利である。しかしながら、本体５０を、この二段になった部分と側壁５６といっしょに一部品として形成することもできる。
【００５３】
第２の、レール側固定部５の下側段部は、第２の突出部５５を形成し、これは、個々の部分を組み立てた状態で、第１の、容器側固定部３まで延び、容器側固定部３の第１の突出部３２の下側に距離をおいて位置するようになる。この距離は、ボルト５８によって決められる。
【００５４】
２つの固定部３，５と、計量部４は、好ましくは、実質的に、プラスチックから作られ、好ましくは射出成形によって作られる。
【００５５】
目的とする使用において、前記吊り下げ装置は組み立てられる。レール側固定部５は、レールＳにクランプされ、容器１は容器側固定部３に吊り下げられる。容器、より正確には袋１２が、吸引された体液で満たされると、容器側固定部３も下方に押される。しかしながら、レール側固定部と計量部４は、これによって影響をうけないままである。従って、計量セル６は曲げられ、その屈曲が充填度合いに対する測定値を生み出す。
【００５６】
第１の、容器側固定部３が荷重超過の場合、ボルト５８のバネ力は、計量部４をその位置に保持するのにもはや十分でない。計量部４は、同様に押し下げられるが、最大で、容器側固定部３の突出部３２がレール側固定部５の突出部５５上に当接するまでである。
【００５７】
図６からは、張力緩和手段のブラケット８がどのように吊り下げ装置に一体化されるかが分かる。単純な実施形態では、ブラケット８は、軽量部４、又はレール側固定部５に、固く、そして使用中は取り外し不可に接続することができる。しかしながら、好ましくは、レール側固定部５の第３のスロット５３の背後に、同様に鉛直に延びる第４のスロット５４があり、この中に、ブラケット８の自由端部を押し込んで、ブラケット８を保持することができる。吊り下げ装置によって定められる吊り下げ軸Ａを同様に示す。レールＳが水平に延びる場合、吊り下げ軸Ａは鉛直に延びる。そうでなければ、吊り下げ軸Ａは、鉛直に対し角度をなす。上述の個々の部分の方向は、吊り下げ軸Ａが鉛直に延びる場合に関するものである。そうでなければ、上述の方向は、吊り下げ軸Ａに平行であると理解されるべきである。
【００５８】
図７から、ディスプレイ９も付け足されていることが分かる。ディスプレイ９は、上述の部分のいずれかに取り付けることができる。
【００５９】
さらに、傾斜センサ７があってよく、これは容器の傾いた位置付けを検出するのに用いられる。傾斜センサ７は、容器がひっくり返る恐れがあるか否かを確認することができ、及び／又は、レールの傾いた位置付けを検出でき、その結果、測定に適当な修正を行うことができる。傾斜センサは、好ましくは、容器にできるだけ近づけて配置され、例えば、容器側固定部３の本体３０に配置される。傾斜センサは、電子部品に組み込まれてもよい。例えば、傾斜センサはジャイロセンサである。
【００６０】
本発明の吊り下げ装置により、簡単な手段を用いて、排液容器、特に排液袋を備える排液容器の充填量を決定することができる。
【符号の説明】
【００６１】
１          排液容器
１０        外側容器
１１        蓋
１１０      排液接続部
１１１      フィルターカバー
１１２      連続接続部
１１３      固定スタブ
１１４      取っ手
１２        袋
１３        スロット挿入部を備えた固定片
１４        バネ要素
１４０      保持つまみ
２          排液ホース
３          容器側固定部
３０        本体
３１        第１のスロット
３２        第１の突出部
３３        第１の固定穴
３４        貫通孔
４          計量部
４０        本体
４１        スロット挿入部
４２        第２のスロット
４３        第２の固定穴
４４        貫通孔
５          レール側固定部
５０        本体
５００      固定つめ
５１        可動つめ
５２        押しボタン
５３        第３のスロット
５４        第４のスロット
５５        第２の突出部
５６        側壁
５７        ねじ山付き穴
５８        バネ荷重式ボルト
５９        貫通孔
６          計量要素
６０        固定穴
６１        ケーブル
７          傾斜センサ
８          ブラケット
８０        方向転換ローラー
８１        ガイドピン
９          ディスプレイ
Ａ          吊り下げ軸
Ｓ          レール
【図１】
2017526434.tif 000003
【図２】
2017526434.tif 000004
【図３】
2017526434.tif 000005
【図４】
2017526434.tif 000006
【図５】
2017526434.tif 000007
【図６】
2017526434.tif 000008
【図７】
2017526434.tif 000009
【国際調査報告】
2017526434.tif 000010
2017526434.tif 000011
2017526434.tif 000012
2017526434.tif 000013
2017526434.tif 000014
2017526434.tif 000015